(57)【要約】【課題】パチンコ島内の貯留玉量を大幅に増加させ、各パチンコ台に十分にパチンコ玉を補給できるパチンコ玉補給システムを提供する。【解決手段】パチンコ玉揚送装置と、貯留タンクと、パチンコ玉を多段に積載して貯留するとともに下流島端側に搬送しつつ各パチンコ台に補給する、上段樋部材５１ａと下段樋部材５２ａとから成る補給樋ユニット５ａとを備え、上段樋部材５１ａは、第１流下口５１４を穿設した側板部５１２と、第２流下口５１５を穿設した底板部５１１とから構成され、中央方向に下り傾斜した上面部分５３１と、パチンコ玉の流入口５３４を穿設した圧力防止部材５３ａを設けて構成され、上部タンクからのパチンコ玉を上段樋部材５１ａで受けとめて搬送・貯留しつつ下段樋部材５２ａに流下させ、その下段樋部材５２ａで搬送・貯留しつつ各パチンコ台に補給するようにした。【選択図】図４
2006198443.tif 000002
【特許請求の範囲】
【請求項１】
パチンコ島の各パチンコ台にパチンコ玉を補給するパチンコ玉補給システムにおいて、
上記パチンコ島内の中央に設けた、パチンコ玉を回収樋から上方の上部タンクまで揚送するパチンコ玉揚送装置と、
上記パチンコ島の下部に島長さに応じて異なる個数設置し、上記回収樋に貯留玉を給送可能な貯留タンクと、
上記上部タンクの両側に上記各パチンコ台の上方にわたって設けた、上記上部タンクからのパチンコ玉を多段に積載して貯留するとともに下流島端側に搬送しつつ各パチンコ台に補給する補給樋と、
を備え、
上記補給樋は、上段補給樋と下段補給樋とから成り、
上記上段補給樋は、両端部を折り曲げた垂立部分に長手方向に沿って一定間隔で第１流下口を穿設した側板部と、両側板部間に中央を上方向に凸状に形成すると共に、中央部分に長手方向に沿って一定間隔で第２流下口を穿設した底板部とから構成され、
上記下段補給樋は、上記上段補給樋を支持するように上段補給樋より幅広であって、両端部を折り曲げた垂立部分に長手方向に沿って一定間隔に上記第１流下口とは交互の位置に補給口を穿設した側板部と、両側板部間に中央を上方向に凸状に形成された底板部と、それぞれの側板部と底板部間に、中央方向に下り傾斜した上面部分と、底板部に接する側面部分に長手方向に沿って一定間隔でパチンコ玉の流入口を穿設した圧力防止部材を設けて構成され、
上記上部タンクからのパチンコ玉を上段補給樋で受けとめて搬送・貯留しつつ下段補給樋に流下させ、さらにその下段補給樋で搬送・貯留しつつ各パチンコ台に補給するようにしたことを特徴とするパチンコ玉補給システム。
【請求項２】
パチンコ島の各パチンコ台にパチンコ玉を補給するパチンコ玉補給システムにおいて、
上記パチンコ島内の中央に設けた、パチンコ玉を回収樋から上方の上部タンクまで揚送するパチンコ玉揚送装置と、
上記パチンコ島の下部に島長さに応じて異なる個数設置し、上記回収樋に貯留玉を給送可能な貯留タンクと、
上記上部タンクの両側に上記各パチンコ台の上方にわたって設けた、上記上部タンクからのパチンコ玉を多段に積載して貯留するとともに下流島端側に搬送しつつ各パチンコ台に補給する補給樋と、
を備え、
上記補給樋からオーバーフローして流入してきたオーバーフロー玉を搬送・貯留するオーバーフロー樋を上記補給樋に沿って設け、そのオーバーフロー樋には、対応する貯留タンクに向けてオーバーフロー玉を導く流下通路を設け、
上記補給樋から上記オーバーフロー樋に向けてオーバーフロー玉が流入する流入部分に、上記パチンコ島の一端側に設置した景品計数機とは反対サイドのオーバーフロー樋に向けてオーバーフロー玉を優先的に分岐する優先分岐部を設け、
オーバーフロー玉を順次貯留させる場合に、パチンコ島の一端側に設置した景品計数機に近傍の貯留タンクが最後に行われるように成し、該貯留タンクは、景品計数機に投入されたパチンコ玉を受入れる共に、パチンコ玉揚送装置によって上部タンクに揚送する場合には、当該貯留タンクからの給送を優先させて行うことを特徴とするパチンコ玉補給システム。
【請求項３】
パチンコ島の各パチンコ台にパチンコ玉を補給するパチンコ玉補給システムにおいて、
上記パチンコ島内の中央に設けた、パチンコ玉を回収樋から上方の上部タンクまで揚送するパチンコ玉揚送装置と、貯留玉を回収樋方向に給送する循環リフトと、貯留玉が回収樋まで流下可能となるような連通路と、上記連通路に設けた緊急用シャッターを有し上記循環リフトの故障時には上記緊急用シャッターを開放して貯留玉を上記連通路を介して回収樋方向に流下させるようにした貯留タンクと、を備えた貯留部構成ユニットを構成し、
上記上部タンクからのパチンコ玉を上段補給樋と下段補給樋にて多段に積載して貯留すると共に下流島端側に搬送しつつ各パチンコ台に補給する補給樋と、上部タンクからオーバーフローして流入してきたオーバーフロー玉を搬送・貯留すると共にオーバーフロー玉を貯留タンクに導く流下通路を有したオーバーフロー樋と、を備え、上記補給樋に沿って上記オーバーフロー樋を設けて補給樋ユニットを構成し、
上記貯留部構成ユニットの両端に支持枠の下端側を固定し、この支持枠の上端側に所定角度だけ傾斜調整可能に上記補給樋ユニットを固定して島構成ユニットを構成し、この島構成ユニットを連結して構築したことを特徴とするパチンコ玉補給システム。
【発明の詳細な説明】
【技術分野】
【０００１】
この発明は、パチンコ島の各パチンコ台にパチンコ玉を補給するパチンコ玉補給システムに関するものである。
【背景技術】
【０００２】
近年、パチンコ遊技における遊技態様は多様化しており、その遊技態様中の「大当たり」に関しても、プリペイドカード使用の遊技などでは従来よりその確率を高く設定できる関係で、「大当たり」が出やすくなり、連続して「大当たり」となることもあり、これに伴いパチンコ機に補給すべきパチンコ玉の数量も増大化している。一方、各パチンコ機へのパチンコ玉の補給は、パチンコ島に設けたパチンコ玉補給システムによって行われるが、従来のパチンコ玉補給システムでは、貯留できるパチンコ玉数に限りがあるため、上記の補給玉数量の増大化に対処できず、パチンコ玉が不足して補給できなくなり、遊技が中断することにより遊技者に不利益を与え、遊技への興趣も半減させるようなことも生じるようになった。
【０００３】
そこで、より大量のパチンコ玉を貯留して補給玉の不足を解消するようにしたパチンコ玉補給システムが種々提案されている。例えば特許文献１では、パチンコ島の島端に玉貯留タンクを追加して設け、その玉貯留タンク内にパチンコ玉を貯留させるようにし、また特許文献２では、島上部の補給樋を途中で分岐させ、補給樋の出発部分からその分岐点までの間をパチンコ玉貯留部として活用している。
【０００４】
【特許文献１】特願平６−３４００６７号公報
【特許文献２】特開平５−１６８７６４号公報
【発明の開示】
【発明が解決しようとする課題】
【０００５】
しかし、上記特許文献１に記載されるように島端に玉貯留タンクを追加して設けると、その分だけスペースをとるため島端側の通路が狭くなり、それほど余裕の無い遊技店が一層手狭になってしまう。また、スペースの関係で玉貯留タンクの規模にも限界があるため、補給玉の不足は依然として解消していない。一方、特許文献２に記載されるように島上部の補給樋を途中で分岐させる構造にすると、構造が複雑であり、しかも島上部での工事となるため施工が困難である。また、上記の場合と同様に、補給樋の出発部分から分岐点までの間に貯留する程度では限界があり、やはり補給玉不足を解消するに至っていない。
【０００６】
この発明は上記に鑑み提案されたもので、パチンコ島内の貯留玉量を大幅に増加させ、各パチンコ台に十分にパチンコ玉を補給できるパチンコ玉補給システムを提供することを目的とする。
【課題を解決するための手段】
【０００７】
上記目的を達成するために、請求項１に係る発明は、パチンコ島の各パチンコ台にパチンコ玉を補給するパチンコ玉補給システムにおいて、上記パチンコ島内の中央に設けた、パチンコ玉を回収樋から上方の上部タンクまで揚送するパチンコ玉揚送装置と、上記パチンコ島の下部に島長さに応じて異なる個数設置し、上記回収樋に貯留玉を給送可能な貯留タンクと、上記上部タンクの両側に上記各パチンコ台の上方にわたって設けた、上記上部タンクからのパチンコ玉を多段に積載して貯留するとともに下流島端側に搬送しつつ各パチンコ台に補給する補給樋と、を備え、上記補給樋は、上段補給樋と下段補給樋とから成り、上記上段補給樋は、両端部を折り曲げた垂立部分に長手方向に沿って一定間隔で第１流下口を穿設した側板部と、両側板部間に中央を上方向に凸状に形成すると共に、中央部分に長手方向に沿って一定間隔で第２流下口を穿設した底板部とから構成され、上記下段補給樋は、上記上段補給樋を支持するように上段補給樋より幅広であって、両端部を折り曲げた垂立部分に長手方向に沿って一定間隔に上記第１流下口とは交互の位置に補給口を穿設した側板部と、両側板部間に中央を上方向に凸状に形成された底板部と、それぞれの側板部と底板部間に、中央方向に下り傾斜した上面部分と、底板部に接する側面部分に長手方向に沿って一定間隔でパチンコ玉の流入口を穿設した圧力防止部材を設けて構成され、上記上部タンクからのパチンコ玉を上段補給樋で受けとめて搬送・貯留しつつ下段補給樋に流下させ、さらにその下段補給樋で搬送・貯留しつつ各パチンコ台に補給するようにしたことを特徴とする。
【０００８】
請求項２に係る発明は、パチンコ島の各パチンコ台にパチンコ玉を補給するパチンコ玉補給システムにおいて、上記パチンコ島内の中央に設けた、パチンコ玉を回収樋から上方の上部タンクまで揚送するパチンコ玉揚送装置と、上記パチンコ島の下部に島長さに応じて異なる個数設置し、上記回収樋に貯留玉を給送可能な貯留タンクと、上記上部タンクの両側に上記各パチンコ台の上方にわたって設けた、上記上部タンクからのパチンコ玉を多段に積載して貯留するとともに下流島端側に搬送しつつ各パチンコ台に補給する補給樋と、を備え、上記補給樋からオーバーフローして流入してきたオーバーフロー玉を搬送・貯留するオーバーフロー樋を上記補給樋に沿って設け、そのオーバーフロー樋には、対応する貯留タンクに向けてオーバーフロー玉を導く流下通路を設け、上記補給樋から上記オーバーフロー樋に向けてオーバーフロー玉が流入する流入部分に、上記パチンコ島の一端側に設置した景品計数機とは反対サイドのオーバーフロー樋に向けてオーバーフロー玉を優先的に分岐する優先分岐部を設け、オーバーフロー玉を順次貯留させる場合に、パチンコ島の一端側に設置した景品計数機に近傍の貯留タンクが最後に行われるように成し、該貯留タンクは、景品計数機に投入されたパチンコ玉を受入れる共に、パチンコ玉揚送装置によって上部タンクに揚送する場合には、当該貯留タンクからの給送を優先させて行うことを特徴とする。
【０００９】
請求項３に係る発明は、パチンコ島の各パチンコ台にパチンコ玉を補給するパチンコ玉補給システムにおいて、上記パチンコ島内の中央に設けた、パチンコ玉を回収樋から上方の上部タンクまで揚送するパチンコ玉揚送装置と、貯留玉を回収樋方向に給送する循環リフトと、貯留玉が回収樋まで流下可能となるような連通路と、上記連通路に設けた緊急用シャッターを有し上記循環リフトの故障時には上記緊急用シャッターを開放して貯留玉を上記連通路を介して回収樋方向に流下させるようにした貯留タンクと、を備えた貯留部構成ユニットを構成し、上記上部タンクからのパチンコ玉を上段補給樋と下段補給樋にて多段に積載して貯留すると共に下流島端側に搬送しつつ各パチンコ台に補給する補給樋と、上部タンクからオーバーフローして流入してきたオーバーフロー玉を搬送・貯留すると共にオーバーフロー玉を貯留タンクに導く流下通路を有したオーバーフロー樋と、を備え、上記補給樋に沿って上記オーバーフロー樋を設けて補給樋ユニットを構成し、上記貯留部構成ユニットの両端に支持枠の下端側を固定し、この支持枠の上端側に所定角度だけ傾斜調整可能に上記補給樋ユニットを固定して島構成ユニットを構成し、この島構成ユニットを連結して構築したことを特徴とする。
【発明の効果】
【００１０】
この発明のパチンコ玉補給システムによれば、パチンコ島の長さに応じて異なる個数設置した貯留タンクと、例えば圧力防止板を設けることで、パチンコ玉を多段に積載可能とした補給樋とを備えたので、システム全体として大容量の貯留スペースを確保できるようになり、そのすべての貯留スペースに圧倒的に多数のパチンコ玉を満たした状態で稼働するので、パチンコ島内の貯留玉量を大幅に増加させることができる。したがって、各パチンコ台への補給量が、連続「大当たり」や複数のパチンコ機で同時に「大当たり」となることで極端に増えたとしても、その多数の貯留玉から補充できるので、支障を来すことなく、各パチンコ台に十分にパチンコ玉を補給することができ、遊技者に快適な遊技環境を与えることができる。また、遊技店側にとっても、パチンコ玉補充の業務をほとんど行う必要がなく、仕事の能率を向上させることができる。
【００１１】
また、貯留タンクへの貯留は、パチンコ島の一端側に設置した景品計数機とは反対サイドにある貯留タンクへの貯留を優先させて行い、回収樋への給送は、景品計数機に隣接した貯留タンクからの給送を優先させて行うようにしたので、景品計数機に隣接した貯留タンクは多くの場合に、貯留スペースを確保している状態となっており、景品計数機が、景品玉投入口を閉鎖して受け入れ中止となるようなことは滅多に発生せず、したがって、遊技者に対して便宜が図られて使用しやすい景品計数機を提供することができる。
【００１２】
さらに、同一形状の島構成ユニットを連結してパチンコ島を構築するようにしたので、パチンコ島の長さを、遊技店のスペースや必要な貯留量に応じて自在に調整することができ、遊技店の実状にあった設置を行うことができる。
【００１３】
また、貯留タンクや補給樋はそれぞれすべて同一形状なので、量産が可能であり、低コストのパチンコ島とすることができる。
【００１４】
さらに、パチンコ島の島端に貯留用のタンクを追加して設けなくてもよいので、島端をスッキリと構成することができ、また島端側の通路スペースも確保することができる。
【００１５】
この発明のパチンコ玉補給システムは、パチンコ玉揚送装置と貯留タンクと補給樋とを有し、パチンコ玉揚送装置はパチンコ玉を回収樋から上方の上部タンクまで揚送し、貯留タンクは、パチンコ島の下部に島長さに応じて異なる個数設置したものであり、回収樋に貯留玉を給送可能である。
【００１６】
そして、パチンコ島上方の補給樋は、上部タンクの両側に各パチンコ台の上方にわたって設けたものであり、上部タンクからのパチンコ玉を多段に積載して貯留するとともに下流島端側に搬送しつつ各パチンコ台に補給する。
【００１７】
上記のパチンコ玉補給システムにおいて、パチンコ玉揚送装置によって回収樋から上部タンクまで揚上してきたパチンコ玉は、補給樋に入る。この補給樋は、パチンコ玉を多段に積載して貯留できるように構成したものであり、その多段積載状況でパチンコ玉を下流島端側に搬送しつつ各パチンコ台に補給する。
【００１８】
すなわち、貯留タンクと、多段積載可能となった補給樋とから成るスペースには大容量の貯留スペースが確保されて圧倒的に多数のパチンコ玉を貯留可能となる。例えば従来の３０万個程度の貯留量に対して６０万個の貯留量が可能となる。したがって、パチンコ島内の貯留玉量を大幅に増加させることができ、各パチンコ台への補給量が、連続「大当たり」や複数のパチンコ機で同時に「大当たり」となることで極端に増えたとしても、その多数の貯留玉から補充できるので、支障を来すことなく、各パチンコ台に十分にパチンコ玉を補給することができる。
【発明を実施するための最良の形態】
【００１９】
パチンコ島内の中央に設けたパチンコ玉を回収樋から上方の上部タンクまで揚送するパチンコ玉揚送装置と、上記パチンコ島の下部に島長さに応じて異なる個数設置し、上記回収樋に貯留玉を給送可能な貯留タンクと、上記上部タンクの両側に上記各パチンコ台の上方にわたって設けた、上記上部タンクからのパチンコ玉を多段に積載して貯留するとともに下流島端側に搬送しつつ各パチンコ台に補給する補給樋と、を備えるパチンコ玉補給システムであって、上記補給樋は、上段補給樋と下段補給樋とから成り、上記上段補給樋は、両端部を折り曲げた垂立部分に長手方向に沿って一定間隔で第１流下口を穿設した側板部と、両側板部間に中央を上方向に凸状に形成すると共に、中央部分に長手方向に沿って一定間隔で第２流下口を穿設した底板部とから構成され、上記下段補給樋は、上記上段補給樋を支持するように上段補給樋より幅広であって、両端部を折り曲げた垂立部分に長手方向に沿って一定間隔に上記第１流下口とは交互の位置に補給口を穿設した側板部と、両側板部間に中央を上方向に凸状に形成された底板部と、それぞれの側板部と底板部間に、中央方向に下り傾斜した上面部分と、底板部に接する側面部分に長手方向に沿って一定間隔でパチンコ玉の流入口を穿設した圧力防止部材を設けて構成され、上記上部タンクからのパチンコ玉を上段補給樋で受けとめて搬送・貯留しつつ下段補給樋に流下させ、さらにその下段補給樋で搬送・貯留しつつ各パチンコ台に補給するようにして、パチンコ玉補給システムを構成した。
【実施例】
【００２０】
以下にこの発明の実施例を図面に基づいて詳細に説明する。図１はこの発明のパチンコ玉補給システムの全体構成を概略的に示す図である。図において、この発明のパチンコ玉補給システムは、パチンコ島１に列設した各パチンコ台７...にパチンコ玉を補給するものであり、下部に設けた貯留部２と、略中央のパチンコ玉揚送装置３と、上部に設けた補給部４とを備えている。なお、各パチンコ台７は、パチンコ機や台間玉貸し機等から成る。
【００２１】
貯留部２には、パチンコ玉揚送装置３の図面で左側に２台の貯留タンク２１ａ，２１ｂが、またパチンコ玉揚送装置３の図面で右側に２台の貯留タンク２１ｃ，２１ｄが、それぞれ列状に設けてあり、さらにパチンコ玉揚送装置３の両側に回収樋３１が設置してある。そして、貯留タンク２１ａ等には、その回収樋３１設置側にそれぞれ循環用リフト２２ａ，２２ｂ，２２ｃ，２２ｄが配置してあり、貯留タンク２１ａ等に貯留したパチンコ玉は、この循環用リフト２２ａ等によって隣接貯留タンクに給送され、回収樋３１まで順次送り込まれるようになっている。
【００２２】
また、パチンコ島１の一端側には景品計数機９を設け、その景品計数機９に最も近い貯留タンク２１ｄに景品計数機９に投入されたパチンコ玉を流入させるようにしている。
【００２３】
パチンコ玉揚送装置３は、回収樋３１に回収されたパチンコ玉を、モータ３５によって揚上し、パイプ３２を介して上方の上部タンク３３まで送り込むとともに、その揚上の際には、粒上の研磨材も送り込み、パチンコ玉の研磨をも同時に行えるようになっている。なお、その研磨材は戻りパイプ３４を通って上部タンク３３から回収樋３１に落下し回収され、順次循環している。
【００２４】
補給部４は、上記の上部タンク３３からパチンコ島１の両側に向けて、各パチンコ台７...上にわたるように傾斜させて対称的に配設してあり、上段補給樋５１と下段補給樋５２とから成る２段構造の補給樋５、およびその補給樋５の下端側に設けたオーバーフロー樋６から構成されている。詳細は後述するように、上部タンク３３まで揚上してきたパチンコ玉は、上段補給樋５１に入り貯留・搬送されつつ下段補給樋５２に流下し、その下段補給樋５２を貯留・搬送されつつ、各パチンコ台７...にパチンコ玉を補給すべく、蛇腹状の補給管１１（図２）を介して各パチンコ台７...に向けて流下する。また、補給樋５からオーバーフローしたパチンコ玉（オーバーフロー玉）はオーバーフロー樋６に導かれて搬送され、そのオーバーフロー樋６から伸ばした蛇腹状のオーバーフロー管８...を介して貯留タンク２１ａ等に流下する。
【００２５】
なお、上記の貯留部２は、その外周側壁に壁部材２０が設けてあり、その壁部材２０の内面と貯留タンク２１ａ等との間には、上記の回収樋３１に向けて傾斜しているアウト玉搬送路１００（図８）が設けてあり、各パチンコ台７ａ等から流出したアウト玉は、このアウト玉搬送路１００に流入し、アウト玉搬送路１００を通って回収樋３１まで搬送されるようになっている。
【００２６】
したがって、補給樋５からオーバーフローしたオーバーフロー玉は、オーバーフロー管８...および貯留タンク２１ａ等を介して回収樋３１まで給送され、各パチンコ台７...から出てきたアウト玉は、貯留タンク２１ａ等の外側のアウト玉搬送路１００を通って回収樋３１まで搬送される。
【００２７】
上記のパチンコ玉補給システムでは、図２に示すような島構成ユニットを連結してパチンコ島１の全体を構築している。図２は島構成ユニットを示す図である。図において、島構成ユニット１ａは、所定長さの壁部材ユニット２０ａをその側壁とする貯留部構成ユニット２ａの両端に、支持枠９１，９１の下端側を固定して支持枠９１，９１を垂設し、その垂設した支持枠９１，９１の上端側に所定長さの補給樋ユニット５ａを固定したものであり、この島構成ユニット１ａを連結することでパチンコ島１が構築される。補給樋ユニット５ａの取り付けに際しては、連結して構築した補給樋５が全体で連続して所定角度だけ傾斜するように、支持枠９１，９１の上端に高さ調整して取り付けられる。以下に、先ず補給樋ユニット５ａの構成および作用について説明し、続いて貯留部構成ユニット２ａの構成および作用について説明する。
【００２８】
図３および図４は補給樋ユニットの構成を示す図である。補給樋ユニット５ａは、上段樋部材５１ａ、下段樋部材５２ａおよびオーバーフロー樋部材６ａから構成される。
【００２９】
上段樋部材５１ａは、板材の両側端を折り曲げ垂立させることで形成した側板部５１２，５１２と、その両側板部５１２，５１２間に形成される底板部５１１とから成る。
【００３０】
底板部５１１は、樋幅方向の中央で広角に折り曲げて中央上方に凸状となるように形成してあり、その底板部５１１には樋幅方向中央部分で長手方向に沿って、矩状に形成したパチンコ玉の第２流下口５１５...が、一定間隔で穿設してある。また、側板部５１２，５１２が垂立するその折曲部分には、その側板部５１２，５１２に沿って、同様にパチンコ玉の第１流下口５１４が、一定間隔で穿設してある。さらに、側板部５１２，５１２の各上端縁には外側方向に折曲したフランジ部５１３，５１３が形成してある。
【００３１】
下段樋部材５２ａは、上記の上段樋部材５１ａより幅広の板材で形成してあり、その板材の両側端を同様に折り曲げ垂立させることで形成した側板部５２２，５２２、その両側板部５２２，５２２間に形成される底板部５２１、および側板部５２２，５２２から底板部５２１にかけて設けた圧力防止部材５３ａとから構成されている。
【００３２】
底板部５２１は、上記の上段樋部材５１ａの場合と同様に、樋幅方向の中央で広角に折り曲げて中央上方に凸状となるように形成してある。また、側板部５２２，５２２が垂立するその折曲部分には、その側板部５２２，５２２に沿って、パチンコ玉の補給口５２４が一定間隔で、上記の上段樋部材５１ａの第１流下口５１４とは交互の位置関係で穿設してある。この補給口５２４...には、上記の補給管１１...が取り付けてある。さらに、側板部５２２，５２２の各上端縁には内側方向に折曲したフランジ部５２３，５２３が形成してある。
【００３３】
また、圧力防止部材５３ａは、板材を折り曲げて上面部分５３１と側面部分５３２とを形成し、それを側板部５２２，５２２と底板部５２１との間に固定したものであり、その際に、上面部分５３１はパチンコ玉が底板部５２１の方向に流下するように少しだけ傾斜が付けてあり、また側面部分５３２が底板部５２１に接する部分には、側面部分５３２に沿ってパチンコ玉の流入口５３４が一定間隔で形成してある。
【００３４】
補給樋ユニット５ａの２段構造は、下段樋部材５２ａのフランジ部５２３，５２３に、上段樋部材５１ａのフランジ部５１３，５１３を載置し、そのフランジ部を互いにネジ等で固定することにより形成される。このように、上段樋部材５１ａと下段樋部材５２ａとを別体として形成したので、パチンコ島１を組み立てる際には、上段樋部材５１ａ無しで軽くなっている下段樋部材５２ａを最初に取り付け、その後上段樋部材５１ａを乗せて組み付ければよく、困難な高所での作業を容易に行えるようになる。
【００３５】
オーバーフロー樋部材６ａは、下段樋部材５２ａの下端面に取り付けられた、断面形状が長方形の樋であり、その底板には貯留タンク２１ａ等に対応するように所定間隔で玉流下口６１...が穿設してあり、この玉流下口６１...にオーバーフロー管８...が取り付けてある。なお、上記では、オーバーフロー樋部材６ａを下段樋部材５２ａの下端面に接して取り付けるようにしたが、下段樋部材５２ａから離した位置に設けるようにしてもよく、取り付けスペースに見合って配置すればよい。
【００３６】
島構成ユニット１ａを連結し、また中央にパチンコ玉揚送装置３を接続してパチンコ島１を構築したとき、補給樋ユニット５ａ...は補給樋５を構成し、上段樋部材５１ａ...は上段補給樋５１を、下段樋部材５２ａ...は下段補給樋５２を、圧力防止部材５３ａは圧力防止部５３を、またオーバーフロー樋部材６ａ...はオーバーフロー樋６をそれぞれ構成する。
【００３７】
補給樋５およびオーバーフロー樋６の各終端側は終端壁で閉じており、パチンコ玉の流れはその終端壁で行き止まりとなり堰き止められる。
【００３８】
また、パチンコ島１中央の上部タンク３３が上段補給樋５１に続く部分には、上段補給樋５１への樋入口（図示せず）が設けてあり、また上部タンク３３の下端側には、上段補給樋５１および下段補給樋５２でオーバーフローしたため上部タンク３３から流下してきたオーバーフロー玉を、左右のオーバーフロー樋６Ｌ、６Ｒ（図１）に振り分ける優先分岐部６０（図７）が設けてある。この優先分岐部６０については、詳細に後述する。
【００３９】
上記のように、補給樋５の上段補給樋５１には、上部タンク３３からのパチンコ玉がその樋入口から流入してくるが、そのときのパチンコ玉の流れを図５および図６を用いて説明する。
【００４０】
図５は補給部（補給樋とオーバーフロー樋）の縦断面を示す図、図６は補給樋でのパチンコ玉流れの説明図である。補給樋５の上段補給樋５１には、上部タンク３３からのパチンコ玉が流入しその底板部５１１に沿って補給樋５の下流方向に搬送される。その際に、底板部５１１は外側に傾斜しているため、パチンコ玉は側板部５１２の方へ流下し、第１流下口５１４から下段補給樋５２に向けて落下する。
【００４１】
下段補給樋５２に落下したパチンコ玉は、圧力防止部５３の上面部分５３１に当たり、その斜面に沿って下段補給樋５２の底板部５２１に向けて流下し、底板部５２１に落下する。底板部５２１に落下したパチンコ玉は、その底板部５２１に沿って再度補給樋５の下流方向に搬送される。その際に、底板部５２１は上記の底板部５１１と同様に外側に傾斜しているため、パチンコ玉は圧力防止部５３の側面部分５３２の方へ流下し、流入口５３４から補給口５２４に入って補給管１１を介して各パチンコ台７...に向けて流下する。そして、この実施例では、補給樋５をオーバーフロー状態にして稼働させるので、上段補給樋５１は、図５に示すように、断面１列のパチンコ玉を貯留した状態で下流側に搬送し、また下段補給樋５２は、断面で多段に積載した状態で多数のパチンコ玉を搬送する。
【００４２】
このオーバーフロー状態において、下段補給樋５２では補給口５２４に向けて多数のパチンコ玉が集中することになるが、この実施例では、上述したように、補給口５２４の周囲に圧力防止部５３を設けたので、下段補給樋５２のパチンコ玉は一旦流入口５３４を通過した後、この補給口５２４に到達することとなり、補給口５２４の手前では整然と流れるようにしたので、補給口５２４や補給管１１の中で多数のパチンコ玉がブリッジして補給路を塞ぐようになることを確実に防止することができる。
【００４３】
上述したように、オーバーフロー樋６Ｌ，６Ｒには、上部タンク３３からのオーバーフロー玉がその優先分岐部６０を介して流入してくるが、次にこの優先分岐部６０の構成および作用を図７を用いて説明する。
【００４４】
図７は優先分岐部の構成を示す図であり、（Ａ）はその平面図、（Ｂ）は側面図である。図において、優先分岐部６０はボックス状のものであり、その上面６８中央に設けた取付用プレート６６で、上部タンク３３下端側のオーバーフロー玉出口（図示せず）の部分に取り付けられている。優先分岐部６０の上面６８側にはオーバーフロー玉の玉流入口６７が、また底面６９にはその玉流入口６７から流下してきたオーバーフロー玉を左右に振り分ける優先分岐部材６４が、それぞれ設けてある。優先分岐部材６４は、優先分岐部６０の底面６９から斜立した分岐板６４ａと、その分岐板６４ａの先端側で分岐板６４ａに対してほぼ直角に取り付けた分岐板６４ｂとから成っている。さらに、優先分岐部６０は、そのボックス状の両端部分でオーバーフロー樋６Ｌ，６Ｒに接続してある。
【００４５】
上部タンク３３から玉流入口６７を通って落下してきたオーバーフロー玉は、その大部分が分岐板６４ａに当たり、分岐板６４ａの斜面に沿って、図の左方向に転動し、そのままオーバーフロー樋６Ｌに流入する。そして、オーバーフロー樋６Ｌ側がオーバーフロー玉で一杯になり、分岐板６４ａの斜面もそのオーバーフロー玉で満たされると、玉流入口６７から落下してきたオーバーフロー玉は、分岐板６４ｂの斜面に沿って、図の右方向に転動するようになり、そのままオーバーフロー樋６Ｒに流入する。オーバーフロー樋６Ｒ側もオーバーフロー玉で一杯になると、行き場がなくなるため、優先分岐部材６４の下方に穿設した玉流下口６５に入るようになり、玉流下口６５から戻りパイプ３４を介して回収樋３１に回収される。
【００４６】
このように、上部タンク３３とオーバーフロー樋６Ｌ，６Ｒとの間に優先分岐部６０を設けたので、オーバーフロー玉は先ず、オーバーフロー樋６Ｌ側に優先的に搬送され、したがって、図１でパチンコ玉揚送装置３の左側に位置しかつ回収樋３１に近い方の貯留タンク２１ａから順に貯留されていく。そして、左側の貯留タンク２１ａ，２１ｂが一杯になると、パチンコ玉揚送装置３の右側に位置しかつ回収樋３１に近い方の貯留タンク２１ｃから順に貯留されていく。
【００４７】
また、上記の補給樋５は、パチンコ玉のパチンコ台７...への補給という機能だけでなく、この補給樋５にパチンコ玉をオーバーフローさせた状態で補給可能となるので、多数のパチンコ玉を積載して貯留する貯留機能をも果たすことになり、しかも２段構造としたため、スペースを十分有効に活用でき、特別な貯留スペースを取ることなく、多数の貯留を行うことができる。
【００４８】
次に貯留部構成ユニット２ａの構成を図８および図９を用いて説明する。図８は貯留部構成ユニットを示す図、図９は貯留部構成ユニットを結合させた場合を示す図であり、（Ａ）はその平面図、（Ｂ）はその側面図である。貯留部構成ユニット２ａは、側壁としての壁部材ユニット２０ａ，２０ａ、およびその壁部材ユニット２０ａ，２０ａの間に配置され一端側（回収樋３１側）に循環用リフト２２を有する貯留タンク２１から構成されている。そして、上述したように、壁部材ユニット２０ａ，２０ａの内面と、貯留タンク２１の側壁２１０，２１０の外面との間には、回収樋３１に向けて傾斜している通路１０１，１０２から成るアウト玉搬送路１００が設けてあり、各パチンコ台７...からのアウト玉は、このアウト玉搬送路１００を通って回収樋３１に回収される。
【００４９】
このように、貯留タンク２１の外側をアウト玉が流れるようにしたので、循環用リフト２２が故障して、回収樋３１への貯留玉の回収ができなくなっても、アウト玉の循環には影響を及ぼしたりせず、パチンコ台７へのパチンコ玉の補給は、通常通り行えることになる。
【００５０】
貯留タンク２１には、オーバーフロー管８を介して流下してきたオーバーフロー玉（貯留玉）を搬送するための貯留玉搬送路２１１が一端側に向けて傾斜して形成してある。この貯留玉搬送路２１１は貯留タンク２１の側壁２１０，２１０との間に空隙を有しており、貯留玉搬送路２１１上を流下する貯留玉は、図１０に示すように、その空隙から落下してより下段に設けた貯留玉搬送路２１２，２１３に入り、最終段としての循環用リフト２２まで導かれる。循環用リフト２２に達した貯留玉は、循環用リフト２２によって揚げられて貯留玉通路２１５に送り込まれ、そのまま隣接する貯留タンク２１の貯留玉搬送路２１１、または回収樋３１に流入する。
【００５１】
貯留玉搬送路２１１には、循環用リフト２２の手前に緊急用シャッター２３が設けてあり、この緊急用シャッター２３まで流下してきたパチンコ玉は、ここで側方の空隙に落下し、下段の貯留玉搬送路２１２に落下することになる。
【００５２】
貯留タンク２１には、図９に示すように、貯留玉搬送路２１１の下方に上限スイッチ２８が、また下段側の貯留玉搬送路２１３の少し上方に下限スイッチ２９が、それぞれ配置してある。これらのスイッチ２８，２９はリミットスイッチであり、貯留タンク２１に貯まったパチンコ玉の高さを検出している。そして、このパチンコ玉補給システムでは、上限スイッチ２８が作動すると、貯留タンク２１に貯留玉が一杯になったとして循環用リフト２２による揚送を開始して貯留玉を搬出し、下限スイッチ２９が作動すると、貯留玉が少なくなったとして循環用リフト２２を停止して搬出を止め、貯留タンク２１内の貯留玉を常時適正な量に保つように制御している。
【００５３】
循環用リフト２２が故障しても、オーバーフロー管８からパチンコ玉は依然として流下してくるので、貯留玉は上限スイッチ２８の高さを超えてしまい、上記の緊急用シャッター２３によって側壁２１０，２１０と貯留玉搬送路２１１との間に形成される傾斜したスペースにまで貯留玉が溢れるようになる。このパチンコ玉補給システムでは、このような非常時には緊急用シャッター２３を上方に上げて貯留玉搬送路２１１を開放するようにしている。緊急用シャッター２３の開放により緊急用シャッター２３を通過した貯留玉は、図１１に示すように、搬送分岐領域２３０で左右に振り分けられた後、循環用リフト２２を迂回するようにその両サイドに設けた緊急用搬送路（連通路）２３１，２３１を通り、そのまま回収樋３１に入るか、または隣接貯留タンク外側の通路１０２（アウト玉搬送路１００）を経由して回収樋３１に入る。
【００５４】
このように、緊急用シャッター２３を上げて貯留タンク２１に貯留するパチンコ玉を回収樋３１やアウト玉搬送路１００に流せるようにしたので、循環用リフト２２が故障しても、貯留タンク２１の貯留玉を回収樋３１に回収することができ、パチンコ台７...に補給するパチンコ玉を確保することができる。
【００５５】
次に、上記のパチンコ玉補給システムの全体でのパチンコ玉の流れを、図１に戻って説明する。各パチンコ台７...への補給管１１がパチンコ玉で一杯になると、補給樋５の上段補給樋５１および下段補給樋５２にもパチンコ玉が貯留するようになり、その上下段補給樋５１，５２も一杯になると、上部タンク３３がオーバーフローしてオーバーフロー樋６にオーバーフロー玉が流下するようになる。
【００５６】
その上部タンク３３からオーバーフロー樋６へ流下する部分には、優先分岐部６０を設けたので、上記のように、オーバーフロー玉は、オーバーフロー樋６Ｌ側に優先的に搬送され、パチンコ玉揚送装置３の左側に位置しかつ回収樋３１に近い方の貯留タンク２１ａから順に貯留されていく。そして、左側の貯留タンク２１ａ，２１ｂが一杯になり、左側のオーバーフロー管８が一杯になると、今度はオーバーフロー樋６Ｒ側に流下するようになり、パチンコ玉揚送装置３の右側に位置しかつ回収樋３１に近い方の貯留タンク２１ｃから順にオーバーフロー玉が貯留されていく。
【００５７】
次に、貯留玉の回収について説明する。なお、この実施例では、上部タンク３３に、補給樋５がオーバーフロー状態のときオフとなり、オーバーフロー状態でないときオンとなるリミットスイッチタイプのオーバーフロー検出スイッチ３７を設け、このオーバーフロー検出スイッチ３７がオンとなり、上部タンク３３へのパチンコ玉給送の要求が出力されると、パチンコ玉揚送装置３が作動するとともに、貯留タンク２１ａ等から回収樋３１への貯留玉の回収も行うようにしている。
【００５８】
上部タンク３３からパチンコ玉給送の要求が出力されると、先ず回収樋３１の右側の貯留タンク２１ｃから回収すべく、当該貯留タンク２１ｃの循環用リフト２２ｃが貯留玉を揚送し回収樋３１に回収する。この循環用リフト２２ｃは、貯留玉を上限スイッチ２８と下限スイッチ２９との間の高さに制御すべく間欠的に作動する。そして、当該貯留タンク２１ｃにおいて、上限スイッチ２８がオフのときは、貯留スペースが空いているとして、さらにその右側に隣接する貯留タンク２１ｄから貯留玉を回収すべく、当該貯留タンク２１ｄの循環用リフト２２ｄが揚送を開始する。なお、この循環用リフト２２ｄは、隣の貯留タンク２１ｃの上限スイッチ２８がオンになるまで連続的に作動する。
【００５９】
このようにして、貯留タンク２１ｃは、右側に隣接する貯留タンク２１ｄから貯留玉の供給を受ける。したがって、パチンコ玉給送の要求が出力されて回収を開始しても、貯留タンク２１ｃの上限スイッチ２８がオンにならないときは、先ず最も回収樋３１から遠い貯留タンク２１ｄの方から順に、すなわち、パチンコ島１の一端（右端）側に位置する景品計数機９側の貯留タンク２１ｄの方から順に、貯留玉が下限スイッチの高さ以下となるまで給送することになる。
【００６０】
そして、貯留タンク２１ｃへ給送しても、貯留玉不足等により給送が間に合わず、貯留タンク２１ｃの下限スイッチ２９がオフになってしまうと、当該貯留タンク２１ｃの循環用リフト２２ｃはその作動を停止する。
【００６１】
その後、次回のパチンコ玉給送の要求が出力されると、今度は回収樋３１の左側の貯留タンク２１ａから貯留玉を回収すべく、貯留タンク２１ａ，２１ｂは、上記の右側の貯留タンク２１ｃ，２１ｄ...と同じ手順で動作する。
【００６２】
上記のように、このパチンコ玉補給システムでは、オーバーフロー玉を貯留タンク２１ａ等に貯留するときは、回収樋３１の左側の貯留タンク２１ａそして２１ｂという順位で優先的に貯留するようにし、右側端の景品計数機９側に位置する貯留タンク２１ｄには、最も最後に貯留するように優先順位を付け、また、貯留タンク２１ａ等から回収樋３１に給送するときは、先ず最初に景品計数機９側の貯留タンク２１ｄの貯留玉が下限以下となるように優先的に排出するので、景品計数機９側の貯留タンク２１ｄは多くの場合に、貯留スペースを確保している状態となっており、景品計数機９が、景品玉投入口を閉鎖して受け入れ中止となるようなことは滅多に発生せず、したがって、遊技者に対して便宜が図られて使用しやすい景品計数機を提供することができる。
【００６３】
また、補給樋５に圧力防止部５３を設けることで、パチンコ玉を多段に積載可能とするとともに、さらに上下２段構造とし、上段補給樋５１と下段補給樋５２の双方の領域にパチンコ玉を貯留できるようにし、しかもパチンコ島１の下部には貯留タンク２１ａ等を列設して大容量の貯留スペースを確保したので、オーバーフロー樋６等のその他のスペースも含めて、圧倒的に多数の貯留玉を確保することができ、パチンコ島１内の貯留数量を大幅に増加させることができる。
【００６４】
したがって、各パチンコ台７...への補給量が、連続「大当たり」や複数のパチンコ機で同時に「大当たり」となることで極端に増えたとしても、その多数の貯留玉から補充できるので、支障を来すことなく、各パチンコ台７...に十分にパチンコ玉を補給することができ、遊技者に快適な遊技環境を与えることができる。また、遊技店側にとっても、パチンコ玉補充の業務をほとんど行う必要がなく、仕事の能率を向上させることができる。
【００６５】
さらに、同一形状の島構成ユニット１ａを連結してパチンコ島１を構築するようにしたので、パチンコ島１の長さを、遊技店のスペースや必要な貯留量に応じて自在に調整することができ、遊技店の実状にあった設置を行うことができる。
【００６６】
また、貯留タンク２１や上段補給樋５１、下段補給樋５２はそれぞれすべて同一形状なので、量産が可能であり、低コストのパチンコ島１とすることができる。
【００６７】
さらに、パチンコ島１の島端に貯留用のタンクを追加して設けなくてもよいので、島端をスッキリと構成することができ、また島端側の通路スペースも確保することができる。
【００６８】
上記の説明では、補給樋を２段構造のものとして説明したが、圧力防止部を備えた１段構造のものとして構成するようにしてもよい。また、逆に３段以上の構造としてスペースの有効利用を図るようにしてもよい。
【００６９】
また、貯留タンク２１として４台の貯留タンク２１ａ，２１ｂ，２１ｃ，２１ｄを設置するようにしたが、これは設置スペースに応じて適宜１台でもよいし、複数台を設置するようにしてもよい。
【００７０】
さらに、オーバーフロー樋６の終端側を終端壁で閉じるようにしたが、この終端壁をシャッターにし、かつそのシャッターの後段に貯留タンクまたはアウト玉搬送路につながる流下路を設ける構成にしてもよい。このシャッターは通常は閉じておき、予測できないほどの速さで貯留玉が不足し、補給が間に合わなくなりそうなときに、緊急にこのシャッターを開くことで、当該シャッター側のオーバーフロー樋６Ｌまたは６Ｒに貯まっている多数の貯留玉を、急速に貯留タンクまたはアウト玉搬送路に導くことができ、これにより、貯留玉不足を速やかに解消し、補給を円滑に継続することができる。
【図面の簡単な説明】
【００７１】
【図１】この発明のパチンコ玉補給システムの全体構成を概略的に示す図である。
【図２】島構成ユニットを示す図である。
【図３】補給樋ユニットの構成を示す図である。
【図４】補給樋ユニットの構成を示す図である。
【図５】補給部の縦断面を示す図である。
【図６】補給樋でのパチンコ玉流れの説明図である。
【図７】優先分岐部の構成を示す図である。
【図８】貯留部構成ユニットを示す図である。
【図９】貯留部構成ユニットを結合させた場合を示す図である。
【図１０】貯留タンクでのパチンコ玉流れの説明図である。
【図１１】緊急用シャッターを開けたときのパチンコ玉流れの説明図である。
【符号の説明】
【００７２】
１  パチンコ島
１ａ  パチンコ島ユニット
２  貯留タンク
２ａ  貯留部構成ユニット
３  パチンコ玉揚送装置
４  補給部
５  補給樋
５ａ  補給樋ユニット
６  オーバーフロー樋
６ａ  オーバーフロー樋部材
７  パチンコ台
８  オーバーフロー管
９  景品計数機
２０  壁部材
２１，２１ａ，２１ｂ，２１ｃ，２１ｄ  貯留タンク
２２  循環用リフト
２３  緊急用シャッター
３１  回収樋
３３  上部タンク
５１  上段補給樋
５１ａ  上段樋部材
５２  下段補給樋
５２ａ  下段樋部材
５３  圧力防止部
６０  優先分岐部
６４  優先分岐部材
９１  支持枠
１００  アウト玉搬送路
２１１，２１１，２１２  貯留玉搬送路
【図１】
2006198443.tif 000003
【図２】
2006198443.tif 000004
【図３】
2006198443.tif 000005
【図４】
2006198443.tif 000006
【図５】
2006198443.tif 000007
【図６】
2006198443.tif 000008
【図７】
2006198443.tif 000009
【図８】
2006198443.tif 000010
【図９】
2006198443.tif 000011
【図１０】
2006198443.tif 000012
【図１１】
2006198443.tif 000013